(57)【要約】      （修正有）【課題】飛沫感染予防及び熱中症予防ができ、簡単に誰でも作成できるインナーＰＬマスクを提供する。【解決手段】インナーＰＬマスクは、クリアファイルを長方形にカットし、四つ角をイチョウ型にカットした物の両面に、両面テープがついたスポンジを貼り付けた構造である。マスクと顔の間にインナーＰＬマスクを装着し、口元や鼻元にすき間を作る事により、マスク装着時のように顔に湿気がこもらず、運動中や湿気の高い環境の中でも、熱中症予防対策ができる事と、すべての環境に適応した新型コロナウイルス対策の飛沫感染予防と熱中症予防対策ができる。【選択図】図１
0003231047.tif 000002
【実用新案登録請求の範囲】
【請求項１】
クリアファイルを長方形にカットした物で四つ角をイチョウ型にカットし、そのクリアファイルの両面に、両面テープがついたスポンジを貼り付けた物です。
【考案の詳細な説明】
【技術分野】
【０００１】      本発明は新型コロナウイルス対策での飛沫感染予防及び、熱中症予防ができるインナーＰＬマスクで、挟みが使える子供から高齢者まで世界中の人が、簡単に誰にでも作成できる物を考案した。
【背景技術】
【０００２】マスクを装着すると、強く深く息を吸う事ができないので、運動中や湿度が高い場所では、苦しくなってしまいます。運動中や湿度の高い環境の中でも、マスクと顔の間にインナーＰＬマスクを装着するだけで、すべての環境の中で、強く深く呼吸をすることができるようにした新型コロナウイルス対策の飛沫感染予防と熱中症予防対策ができる物を考案した。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】    ［運動中や湿度の高い環境の中でマスクを着用すると、強く深く息を吸う事ができず苦しくなってしまいます。運動中等はマスクを外すように言われているが、それでは新型コロナウイルス対策の飛沫感染予防をする事ができず、新型コロナウイルスの感染拡大を招いてしまいます。
【課題を解決するための手段】    運動中でも湿度の高い環境の中でも、マスクと顔の間にインナーＰＬマスクを装着する事で、口元や鼻元にすき間を作る事により、呼吸がしやすくする事ができ、新型コロナウイルス対策での飛沫感染予防ができる構造としました。］
【考案の効果】    ・インナーＰＬマスクは、マスクと顔の間に装着し、運動中でも湿度の高い環境の中でも、強く深く呼吸をすることができる為、運動中でも湿度の高い環境でも新型コロナウイルス対策での飛沫感染予防ができ、尚且つ、熱中症予防をする事ができる・クリアファイルの土台にスポンジを接着させる事で、マスクと顔の間にすき間ができ、吐息を効率よく放出する事ができる為、マスク内が湿気で通気性が悪くならず、運動中や湿度の高い環境の中でも、マスクを装着でき新型コロナウイルス対策をする事ができる。・インナーＰＬマスクをマスクと顔の間に挟む為、マスク全体が顔に直接触れる事がないため、マスクのような大きなマスクかぶれを発症する恐れも少なく、皮膚が弱い人でも、顔に当たる面積が少ない分だけ人体への影響が少なくなります。・マスクを男性が装着すると、髭がこすれる事で、使用期間が長くなるとマスク内側が、ケバケバほつれてしまい肌にかゆみが出たりしますが、このインナーＰＬマスクをマスクと顔の間に装着すると、スポンジ部が顔に接触するだけなので、髭が伸びてもマスクがこすれる事がなく、マスクの自体も破損する事が少なくなるなどの構造効果があります。・極めて簡単な構造にする事により誰にでも作成する事ができます。ハサミを使える幼稚園生から高齢者の人、日本国に限らず諸外国や、他民族や他部族や世界中の人間が材料とハサミがあれば、誰にでも安価で作る事ができる方法となっております。簡単な構造にする事で、どんな人でも見本と材料があれば作る事ができる効果があります。・簡単に作る事ができ、尚且つ水洗いや洗剤で洗う事ができるので、何度でも、繰り返し使用する事ができ、万が一スポンジ部が壊れても、スポンジの材料を、交換すれば修復する事ができ、修理も材料がありハサミが使える人であれば世界中の人が簡単に直す事ができます。・新型コロナウイルス感染対策を世界中の人に実施してもらうには、安価で簡単に誰にでも作れる物でなければ、新型コロナウイルス対策を拡散させる事はできません。難しい構造や人の加工が多いと、その分、高価な物となってしまう為、その為には、特に簡単な構造を発明し相乗効果をする事ができます。・図面ではインナーＰＬマスクの基本的な大人の人の寸法を記載しましたが、基本構造（基本構造とは、長方形の土台クリアファイルに、スポンジを両面テープで接着させ、土台クリアファイルの４つの角を丸くする事）さえ守れば、すべての人、世界中の人の体系及びマスクに合わす事ができる物となっており全世界の人間に対応できる効果があります。また、基本構造によりすべての機能（新型コロナウイルス感染での飛沫感染予防、熱中症予防）を果たす効果があります。・図面においては、基本的な大人の寸法となっておりますが、クリアファイルである為、ハサミで簡単に切る事ができる為、ハサミが使える子供から高齢者が、世界中の人間の体形に合わせて、痩せていても、太っていてもクリアファイルのシールド土台をマスクの大きさに合わせる事で、全世界の人のインナーＰＬマスクを、どんな人でも作る事ができる構造効果があります。・貼り付けるスポンジを丸く切ったり色々な形に切り、自分好みのスポンジの形を、貼り付けて楽しむ遊楽効果がありま��。・クリアファイルの色や透明色によりさまざまな効果がありますので、口紅やお化粧がインナーＰＬマスクに付着しても色によっては、わかりずらく、また石鹸や洗剤で簡単に洗浄ができるので、とても扱い使いやすく、何度でも洗う事ができ再利用が可能です。。・クリアファイルには色々な色がある為、世界中の人の好みに合わせてクリアファイルの色を選択したり、インナーＰＬマスクにシール等を貼る事ができる為、遊楽効果やリラックス効果があります。・マスクと顔の間にインナーＰＬマスクを装着する為、きちんとマスクで口や鼻を覆う事ができ、運動中や湿気の高い環境でも強く深く呼吸をすることができながら、新型コロナウイルス対策ができ、気軽に安価に簡単に作成する事ができるので、世界中の人の新型コロナウイルス対策の飛沫感染予防効果があります。
【図面の簡単な説明】
【図１】本考案のインナーＰＬマスクの一実施例を示す表面図
【図２】本考案のインナーＰＬマスクの一実施例を示す裏面図
【考案を実施するための形態】
【実施例１】施設や病院で、入所入院患者の入浴介助を行う時に、新型コロナウイルス対策で、マスクを着用しているが、浴室内は湿度と湯熱と蒸気によりマスクを装着していると息苦しくなってしまいますが、インナーＰＬマスクをマスクと顔の間に装着する事により、湿気の高い環境の中でも呼吸がしやすく、新型コロナウイルス対策の飛沫感染予防をする事ができる。
【実施例２】運動中では、熱中症予防の為、マスクを外すように言われているが、新型コロナウイルス感染において、マスクを外すと飛沫感染の可能性が出てしまう為、インナーＰＬマスクをマスクと顔の間に装着し、運動中でも湿度の高い環境の中でも、新型コロナウイルス対策の飛沫感染予防をする事ができる。
【実施例３】インナーＰＬマスクの色を変えれば、口紅や化粧が付着してもわかりずらく、石鹸や洗剤で洗えば簡単にきれいにでき、繰り返し利用ができます。新型コロナウイルス対策の飛沫感染予防、熱中症予防をする事ができる。
【実施例４】インナーＰＬマスクの基本構造を守った形であれば、大きさを自由に変えて、子供から高齢者まで世界中の人の顔の形に合わせマスクの大きさに合わせれば、簡単に作成する事ができ、新型コロナウイルス対策の飛沫感染予防、熱中症予防をする事ができる。
【産業上の利用可能性】
【実施例】クリアファイルと両面テープ付きスポンジにて簡単に誰でも作成する事ができる。
【符号の説明】
【・・・・】
０１．クリアファイル０２．両面テープ付きスポンジ
【配列表フリーテキスト】
【図１】
0003231047.tif 000003
【図２】
0003231047.tif 000004